(57)【特許請求の範囲】
【請求項１】
機器から滴下するドレン水を回収するためのドレンパンであって、
上記機器の下側に配設されるベース板部と、
上記ベース板部に形成された長孔状の集水孔と、
上記ベース板部の下側に配設され、上記集水孔に沿って延びるとともに、該集水孔に対応する部分に上側に開口する切欠部が形成されたドレン配管と、
上記ベース板部から下側に突出して、上記ドレン配管の管軸方向に対向する一対の支持板部と、
上記一対の支持板部にそれぞれ形成され、上記ドレン配管の両端部を支持する支持孔と、
上記ドレン配管の両端部にそれぞれ装着されて、上記一対の支持板部の互いの外側面に当接することで、該ドレン配管の管軸方向の移動を規制する一対の位置規制部材と、を備えていることを特徴とするドレンパン。
【請求項２】
請求項１記載のドレンパンにおいて、
上記支持板部は、上記ベース板部に対して曲げ加工により一体成形されていることを特徴とするドレンパン。
【請求項３】
請求項１又は２記載のドレンパンにおいて、
上記集水孔は、上記ベース板部における該集水孔の形成予定部をＩ字状に切り欠くことで扉状の一対の矩形状片を形成して、該両矩形状片をその基端部を支点として下方に折り曲げることで形成されていることを特徴とするドレンパン。
【請求項４】
請求項３記載のドレンパンにおいて、
上記折り曲げられた一対の矩形状片は、上記集水孔の幅方向の両側の端縁部からそれぞれ、該幅方向の中央に向かって下側に傾斜して、上記集水孔に滴下したドレン水を上記ドレン配管に形成された切欠部へと案内するように構成されていることを特徴とするドレンパン。
【請求項５】
請求項４記載のドレンパンにおいて、
上記折り曲げられた一対の矩形状片の下端縁は、上記ドレン配管に形成された切欠部の幅方向の両側端縁よりも内側且つ下側に位置していることを特徴とするドレンパン。
【請求項６】
請求項１乃至５のいずれか一項に記載のドレンパンにおいて、
上記位置規制部材は、上記一対の支持板部の互いの外側において、上記ドレン配管の端部に外嵌して装着される有底筒状のキャップ部材で構成されていることを特徴とするドレンパン。
【請求項７】
請求項１乃至５のいずれか一項に記載のドレンパンにおいて、
上記ドレン配管の少なくとも一方の端部は、上記支持板部の支持孔に対して上記位置規制部材を介して支持されており、
当該位置規制部材は、上記支持孔に嵌挿支持され且つ上記ドレン配管の端部に外嵌して装着される小径筒部と、上記一対の支持板部の互いの外側に位置し、該小径筒部に対して同軸に接続される大径筒部とを有していることを特徴とするドレンパン。
【請求項８】
請求項１乃至７のいずれか一項に記載のドレンパンにおいて、
上記ドレン配管は、塩ビ管からなることを特徴とするドレンパン。
【請求項９】
請求項１乃至８のいずれか一項に記載のドレンパンにおいて、
上記位置規制部材は、塩ビ製の配管継手からなることを特徴とするドレンパン。
【請求項１０】
請求項１乃至９のいずれか一項に記載のドレンパンと、長尺状の架台及び基台の間に防振体を介在させてなる一対の防振台とを備え、機器の幅方向に並んで配置した該一対の防振台の上側に上記ドレンパンを介して機器を載置して使用される防振台装置であって、
上記ドレンパンのベース板部は、上記一対の防振台の架台の上側に跨って載置されて、該架台に対して上記機器と共に共締め固定されることを特徴とする防振台装置。
【請求項１１】
請求項１０記載の防振台装置において、
上記機器は、回転式のポンプと該ポンプを駆動する駆動源とを備えたポンプユニットであり、
上記一対の防振台は、上側から見て、上記ポンプのポンプ軸方向に直交するポンプ幅方向に並んで配置されるものであり、
上記ドレンパンの集水孔は、上記ドレンパン及び上記ポンプユニットを上記防振台の架台に共締め固定した状態において、上記ポンプ軸に沿ってその真下に位置するように形成されていることを特徴とする防振台装置。
【発明の詳細な説明】
【技術分野】
【０００１】
ドレンパン及び該ドレンパンを備えた防振台装置に関する技術分野に属する。
【背景技術】
【０００２】
従来より、ポンプの略真下に配置されて、該ポンプから滴下するドレン水（結露水や軸封部パッキンの潤滑用水等）を回収するドレンパンは知られている（例えば、特許文献１参照）。
【０００３】
このドレンパンは、ポンプが取り付けられる略矩形状のベース取付板と、ベース取付板の幅方向の略中央部に形成され、ベース取付板の長手方向に延びる長孔状の集水孔と、ベース取付板の裏面における集水孔が形成された部分に固設された断面略コ字状の導水ダクトとを備えている。集水孔から導水ダクト内に導かれたドレン水は、導水ダクトに設けられたドレン孔を通って排出される。
【先行技術文献】
【特許文献】
【０００４】
【特許文献１】実用新案登録３１１４１３５号公報
【発明の概要】
【発明が解決しようとする課題】
【０００５】
しかしながら、上記特許文献１に示すドレンパンでは、導水ダクトをベース取付板に対して溶接により固設するようにしているため、例えば、既存のベース取付板を流用して、ベース取付板に導水ダクトを増設しようとした場合に、増設する導水ダクトの長さや数に応じて長時間の溶接作業が必要になり、作業コストが増加するという問題がある。
【０００６】
そこで、ベース取付板に対して導水ダクトをプレス加工により一体成形することも考えられるが、この場合、プレス加工用の専用金型が必要となり加工コストが増加するという問題がある。
【０００７】
本発明は、斯かる点に鑑みてなされたものであり、その目的とするところは、集水孔を有するベース板部と、ベース板部の下側に配設されるドレン配管とを備えたドレンパンに対して、その構成に工夫を凝らすことで、ドレンパン製作時におけるドレン配管のベース板部への取付け作業を容易化し、延いては、製品コストの低減を図ろうとすることにある。
【課題を解決するための手段】
【０００８】
上記の目的を達成するために、請求項１の発明では、ベース板部から下側に突出して、支持孔を介してドレン配管を両端支持する一対の支持板部と、ドレン配管の両端部に装着されて、該一対の支持板部の互いの外側面に当接することで該ドレン配下の管軸方向の移動を規制する位置規制部材とを備えるようにした。
【０００９】
具体的には、この発明では、機器から滴下するドレン水を回収するためのドレンパンを対象とする。
【００１０】
そして、上記機器の下側に配設されるベース板部と、上記ベース板部に形成された長孔状の集水孔と、上記ベース板部の下側に配設され、上記集水孔に沿って延びるとともに、該集水孔に対応する部分に上側に開口する切欠部が形成されたドレン配管と、上記ベース板部の下面から下側に突出して、上記ドレン配管の管軸方向に対向する一対の支持板部と、上記一対の支持板部にそれぞれ形成され、上記ドレン配管の両端部を支持する支持孔と、上記ドレン配管の両端部にそれぞれ装着されて、上記一対の支持板部の互いの外側面に当接することで、該ドレン配管の管軸方向の移動を規制する一対の位置規制部材と、を備えているものとする。
【００１１】
この構成によれば、ドレン配管を、ベース板部の下面から突出する一対の支持板部の支持孔に両端支持した状態で、ドレン配管の両端部に位置規制部材を装着するだけで、ドレン配管をベース板部に容易に取り付けることができる。このように本発明では、ドレン配管のベース板部への取り付けに際して、熟練を要する溶接作業を必要としないため、製品コストを低減することができる。
【００１２】
また、上記位置規制部材は、一対の支持板部の互いの外側面に当接することでドレン配管の管軸方向の移動を規制するように構成されているため、ドレン配管の管軸方向の位置決めを容易に行うことができる。
【００１３】
請求項２の発明では、請求項１の発明において、上記支持板部は、上記ベース板部に対して曲げ加工により一体成形されているものとする。
【００１４】
この構成によれば、支持板部をベース板部に対して曲げ加工により一体成形するようにしたことで、部品点数を削減することができるとともに、ドレンパンの製作にあたって、熟練を要する溶接作業を廃止することができる。よって、製品コストを可及的に低減することができる。
【００１５】
請求項３の発明では、請求項１又は２の発明において、上記集水孔は、上記ベース板部における該集水孔の形成予定部をＩ字状に切り欠くことで扉状の一対の矩形状片を形成して、該両矩形状片をその基端部を支点として下方に折り曲げることで形成されているものとする。
【００１６】
請求項４の発明では、請求項３の発明において、上記折り曲げられた一対の矩形状片は、上記集水孔の幅方向の両側の端縁部からそれぞれ、該幅方向の中央に向かって下側に傾斜して、上記集水孔に滴下したドレン水を上記ドレン配管に形成された切欠部へと案内するように構成されているものとする。
【００１７】
請求項３及び請求項４の構成によれば、ベース板部における集水孔の形成予定部をＩ字状に切り欠くことで扉状の一対の矩形状片を形成して、該両矩形状片をその基端部を支点として下方に折り曲げることで集水孔を容易に形成することができる。そして、この折り曲げられた一対の矩形状片をそれぞれ、集水孔の幅方向の両側の端縁部から該幅方向の中央に向かって下側に傾斜させることで、該集水孔に滴下したドレン水を該矩形状片によってドレン配管へと案内することができる。
【００１８】
請求項５の発明では、請求項４の発明において、上記折り曲げられた一対の矩形状片の下端縁は、上記ドレン配管に形成された切欠部の幅方向の両側端縁よりも内側且つ下側に位置しているものとする。
【００１９】
この構成によれば、一対の矩形状片の下端縁を、上記ドレン配管に形成された切欠部の幅方向の両側端縁よりも内側且つ下側に位置させるようにしたことで、該一対の矩形状片をドレン配管の軸心回りの回り止めとして機能させることができる。これにより、ドレン配管に形成された切欠部の位置が、予め設定された設計位置に対して管軸回りにずれるのを防止し、上記機器から滴下したドレン水を切欠部を介してドレン配管内に確実に導くことができる。
【００２０】
請求項６の発明では、請求項１乃至５のいずれか一つの発明において、上記位置規制部材は、上記一対の支持板部の互いの外側において、上記ドレン配管の端部に外嵌して装着される有底筒状のキャップ部材で構成されているものとする。
【００２１】
この構成によれば、ドレン配管の一端部が他端部側に移動しようとしても、該一端部に装着されたキャップ部材が、上記支持板部の外側面に当接するため、ドレン配管の管軸方向の移動を規制することができる。また、キャップ部材として、例えば、規格化された市販品のＴＳキャップを採用することができ、これにより、製品コストをより一層低減することができる。
【００２２】
請求項７の発明では、請求項１乃至５のいずれか一つの発明において、上記ドレン配管の少なくとも一方の端部は、上記支持板部の支持孔に対して上記位置規制部材を介して支持されており、当該位置規制部材は、上記支持孔に嵌挿支持され且つ上記ドレン配管の端部に外嵌して装着される小径筒部と、上記一対の支持板部の互いの外側に位置し、該小径筒部に対して同軸に接続される大径筒部とを有しているものとする。
【００２３】
この構成によれば、ドレン配管の一端部が他端部側に移動しようとしても、上記大径部が上記支持板部の外側面に当接するため、ドレン配管の管軸方向の移動を規制することができる。また、位置規制部材として、例えば、規格化された市販品のＴＳ継手を採用することができ、これにより、製品コストを可及的に低減することができる。
【００２４】
請求項８の発明では、請求項１乃至７のいずれか一つの発明において、上記ドレン配管は、塩ビ管からなるものとする。
【００２５】
請求項９の発明では、請求項１乃至８のいずれか一つの発明において、上記位置規制部材は、塩ビ製の配管継手からなるものとする。
【００２６】
請求項８及び請求項９の構成によれば、ドレン配管及び位置規制部材として、市販品の配管や継手を使用することができる。よって、製品コストを可及的に低減することができる。
【００２７】
請求項１０の発明では、請求項１乃至９のいずれか一つの発明に係るドレンパンと、長尺状の架台及び基台の間に防振体を介在させてなる一対の防振台とを備え、機器の幅方向に並んで配置した該一対の防振台の上側に上記ドレンパンを介して機器を載置して使用される防振台装置を対象とする。
【００２８】
そして、上記ドレンパンのベース板部は、上記一対の防振台の架台の上側に跨って載置されて、該架台に対して上記機器と共に共締め固定されるものとする。
【００２９】
この構成によれば、ドレンパンのベース板部を、架台に対して上記機器と共に共締め固定するようにしたことで、既存の防振台に対して追加工を施すことなく、本発明に係るドレンパンを固定することができる。
【００３０】
請求項１１の発明では、請求項１０の発明において、上記機器は、回転式のポンプと該ポンプを駆動する駆動源とを備えたポンプユニットであり、上記一対の防振台は、上側から見て、上記ポンプのポンプ軸方向に直交するポンプ幅方向に並んで配置されるものであり、上記ドレンパンの集水孔は、上記ドレンパン及び上記ポンプユニットを上記防振台の架台に共締め固定した状態において、上記ポンプ軸に沿ってその真下に位置するように形成されている
この構成によれば、ドレンパン及びポンプユニットを防振台の架台に共締め固定した状態において、上記集水孔を、ドレン水の排出源となるポンプ軸に沿ってその真下に配置することができる。これにより、ポンプ軸から滴下するドレン水を集水孔に効率良く導くことができる。
【発明の効果】
【００３１】
以上説明したように、本発明のドレンパンによると、ベース板部から下側に突出して、支持孔を介してドレン配管を両端支持する一対の支持板部と、ドレン配管の両端部に装着されて、該一対の支持板部の互いの外側面に当接することで該ドレン配下の管軸方向の移動を規制する位置規制部材とを備えるようにしたことで、ベース板部へのドレン配管の取り付け作業を容易化して、製品コストを低減することができる。
【００３２】
また、本発明の防振台装置によると、一対の防振台の架台に対して、ドレンパンとその上側に載置される機器とを共締め固定するようにしたことで、既存の防振台装置に対して追加工を施すことなく本発明のドレンパンを固定することができる。
【図面の簡単な説明】
【００３３】
【図１】本発明の実施形態に係るドレンパンが取付けられる防振台装置を示す（ａ）平面図（ｂ）正面図（ｃ）側面図である。
【図２】２つの防振台をハの字に配置したときの図１(a)相当図である。
【図３】ドレンパンを示す（ａ）平面図（ｂ）正面図（ｃ）側面図である。
【図４】ドレンパンのドレン配管を取り外した状態を示す（ａ）平面図（ｂ）正面図（ｃ）側面図である。
【図５】防振台装置へのドレンパンの取り付け方法を説明するための説明図である。
【図６】ベース板部へのドレン配管の組み付け手順を示す説明図である。
【図７】実施形態の変形例１を示す図３相当図である。
【図８】実施形態の変形例２を示す図３相当図である。
【発明を実施するための形態】
【００３４】
以下、本発明の実施形態を図面に基づいて詳細に説明する。
【００３５】
（全体構成）
図１及び図２は、本発明の実施形態に係るドレンパン１００が取り付けられる防振台装置Ａを示す。この防振台装置Ａは、回転式ポンプＰ（本実施形態では、湿式の渦巻きポンプ）及び該ポンプＰを駆動する電動機ＭからなるポンプユニットＵを設置するためのものであり、ドレンパン１００は、ポンプユニットＵから滴下するドレン水（軸封部パッキンの潤滑用水等）を回収するためにポンプユニットＵの下側に配設される。
【００３６】
防振台装置Ａは、ポンプユニットＵの長手方向に延びる長尺状の所謂レール式防振台１を当該ポンプユニットＵの幅方向に２つ並べて、それらを連結した構造である。ドレンパン１００は、この２つの防振台１に跨ってその上側に配設されて、ポンプユニットＵと共に防振台１に共締め固定される。
【００３７】
この例では、上記２つの防振台１は略同じものであり、各々断面矩形状の角パイプ（例えば構造用角形鋼管等）からなる長尺状の架台２及び基台３が、互いに上下方向に所定の間隔を空けて配置され、その間には架台２及び基台３の長手方向に離れて２つのアイソレータ４が介設されている。
【００３８】
アイソレータ４は、架台２及び基台３の間の振動伝達を軽減する防振体で、この例ではゴム筒の内部にコイルばねが埋設されて一体化されたものであり、上下にそれぞれ配設されたコ字状の板部材４ａが架台２及び基台３に嵌着されて、その長手方向にスライド移動可能になっている。
【００３９】
また、各架台２には、その長手方向に離れた２箇所においてそれぞれ防振台装置Ａの幅方向外側、すなわち相対する防振台１のある側とは反対の側へはみ出すようにして、ポンプユニットＵの取付ボルト５（図６参照）が配設されるブラケット６，７が設けられている。
【００４０】
架台２の長手方向一側（図１(a)及び図２の下側）のブラケット６は、可動ブラケット
であり、該可動ブラケット６は、架台２に対して下側から係合してその長手方向にスライド可能に構成されたコ字状基部６ａと、コ字状基部６ａの側壁部からブラケット６の先端側に向かって延びる上板部６ｂと、上板部６ｂの両側縁からそれぞれ下側に延びる一対の垂下部６ｃとを有している。上板部６ｂには、ポンプユニットＵの取付ボルト５が挿通されるボルト挿通孔６２ａが形成され、各垂下部６ｃには、それぞれ梁部材８の両端部が挿通される挿通孔６２ｆが形成されている。
【００４１】
そして、前記可動ブラケット６を架台２の長手方向にスライド移動させることによって、ボルト５の取付位置を防振台装置Ａの長手方向に変化させて、ポンプユニットＵのベース５０（以下、ポンプベースともいう）のボルト取付穴に位置合わせすることができる。
【００４２】
梁部材８を挿通孔６２ｆに挿通した状態で、ボルト５（図６参照）によって、可動ブラケット６をポンプベース５０に締結することにより、同時に架台２と梁部材８とが結合されて、２つの防振台１が梁部材８を介して強固に連結される。梁部材８の両端部にはキャップ８ａが装着されている。
【００４３】
上記架台２の長手方向他側（図１(a)及び図２の上側）に位置するブラケット７は固定
ブラケットであり、ボルト５の軸部が遊嵌される貫通穴７ａが形成されている。
【００４４】
また、防振台１を構成する基台３の両端部は、それぞれ架台２の端部よりも外方まで突出している。この突出部位には断面コ字状の補強金具３１が嵌着され、そこから上方に延びるように耐震ボルト９が配設され、耐震ボルト９の上端部が取付け金具を介して架台２に連結されている。
【００４５】
−ドレンパンの構造−
次に、ドレンパン１００の構造について図２〜図５を参照しながら説明する。このドレンパン１００は、ポンプユニットＵにおけるドレン水（潤滑水）の滴下量が特に多いポンプ側にのみ配設される。
【００４６】
具体的には、上記ドレンパン１００は、２つの防振台１の上側に跨って載置される金属製（例えばスチール製）のベース板部１０を有している。尚、以下の説明では、このベース板部１０を防振台１に設置した状態において、ポンプユニットＵの長手方向に対応する方向を「ドレンパン１００の縦方向」と定義し、ポンプユニットＵの幅方向に対応する方向を「ドレンパン１００の横方向」と定義して説明を行う。
【００４７】
ベース板部１０は、上側から見たときに、該ベース板部１０の外周縁の径方向内側に、ポンプユニットＵを構成するポンプＰ全体が収まるように形成されている（図２参照）。ベース板部１０は、幅狭ベース部１１と、該幅狭ベース部１１の縦方向の一側（ポンプユニットＵの電動機側）に連接される、幅狭ベース部１１よりも横長の幅広ベース部１２とで構成されている。
【００４８】
ベース板部１０の横方向の中央部には、両ベース部１１，１２に跨って縦方向の略全体に亘って延びる集水孔１３が形成されている。幅狭ベース部１１の縦方向の他側の端縁部は、横方向の中央部がベース部外方に向かって略台形状に膨出しており、これにより、集水孔１３の縦方向の長さを極力長く設定することができ、ポンプ軸が比較的長い大型のポンプユニットＵに対しても十分な集水効果を得ることができる。
【００４９】
上記集水孔１３は、上記ベース板部１０における該集水孔１３の形成予定部（本実施形態では、ベース板部１０の横方向の中央部）をＩ字状に切り欠くことで扉状の一対の矩形状片１４を形成して、該両矩形状片１４をその基端部を支点として下方に折り曲げることで形成されている。尚、図中の符号２１は上記Ｉ字状の切欠きを示している。
【００５０】
上記折り曲げられた一対の矩形状片１４は、上記集水孔１３の幅方向の両側の端縁部（つまり縦方向に延びる２つの辺部）からそれぞれ、該幅方向の中央に向かって下側に傾斜して、上記集水孔１３に滴下したドレン水を、後述するドレン配管１５（ドレン配管１５の切欠部２０）内へと案内するように形成されている。
【００５１】
上記ベース板部１０の幅広ベース部１２には、集水孔１３を挟んで略対称に配設された一対のボルト挿通孔１６が形成されている。このボルト挿通孔１６は、横方向に延びる長孔状に形成されていて、詳しくは後述するように、ドレンパン１００をポンプユニットＵと共に防振台１に共締め固定するために使用される。
【００５２】
上記幅狭ベース部１１の横方向の両側の端縁部にはそれぞれ、ベース板部１０に滴下したドレン水を堰き止めるためのシール壁部１７が全縁に亘って形成されている。各シール壁部１７は、幅狭ベース部１１の横方向の両側縁部から上側に折れ曲がって、該幅狭ベース部１１に対して一体成形されている。尚、シール壁部１７を、ベース板部１０の周縁部の全周に亘って形成するようにしてもよい。
【００５３】
上記ベース板部１０の下側には、集水孔１３の真下に位置して該集水孔１３に沿って縦方向に延びるドレン配管１５が配設されている。ドレン配管１５は、後述するように、一対の支持板部１８，１９を介してベース板部１０に連結支持されている。
【００５４】
ドレン配管１５における集水孔１３に対応する部分（上側から見て、集水孔１３と重複する部分）には、上側に開口する切欠部２０（図５参照）が形成されている。切欠部２０は、ドレン配管１５おけるベース板部１０側の管壁部を、上側から見て縦方向に延びる矩形状に切り欠くことで形成されている。ポンプＰから滴下したドレン水は、上記集水孔１３及び切欠部２０を通ってドレン配管１５内へと導かれる。
【００５５】
上記集水孔１３を形成する際に折り曲げた一対の矩形状片１４は、その下端縁が上記切欠部２０の幅方向の両側端縁よりも内側且つ下側に位置するように形成されており、これにより一対の矩形状片１４は、ドレン配管１５の管軸回りの回転を阻止する回り止めとしても機能する。
【００５６】
上記各支持板部１８，１９はそれぞれ、ベース板部１０の縦方向の両側の端縁部における横方向の中央部から折れ曲がって下側に突出するように形成されている。各支持板部１８，１９は、上記ベース板部１０の縦方向から見て下側ほど幅狭となる台形板状に形成されている（図３（ｂ）及び図４（ｂ）参照）。
【００５７】
各支持板部１８，１９には、厚さ方向に貫通する円形の支持孔２５が形成されている。ドレン配管１５の一端部は、上記縦方向の一側に位置する一方の支持板部１８の支持孔２５に内挿支持されている。ドレン配管１５の一端部には、有底円筒状のキャップ部材２４が外嵌されている。キャップ部材２４は、一対の支持板部１８，１９の互いの外側に位置していて、本実施形態では、市販のＴＳキャップにより構成されている。キャップ部材２４の外径は、支持孔２５の孔径よりも大きく設定されている。これにより、ドレン配管１５が他方の支持板部１９側へ移動するのを、キャップ部材２４の端面２４ａと支持板部１８の外側面１８ａ（一対の支持板部１８，１９の互いの外側面１８ａ）との当接により阻止（規制）することができる。
【００５８】
ドレン配管１５の他端部は、他方の支持板部１９（上記縦方向の他側に位置する支持板部１９）の支持孔２５に対して継手部材２６を介して支持されている。継手部材２６は、本実施形態では、市販のＴＳ水栓ソケットにより構成されている。
【００５９】
継手部材２６は、上記支持孔２５に嵌挿支持され且つドレン配管の他端部に外嵌して装着される小径筒部２７と、該小径筒部２７に対し同軸に接続された大径筒部２８と、大径筒部２８の外周面から鍔状に突出するフランジ部２９とを有している。大径筒部２８は、一対の支持板部１８，１９の互いの外側に位置していて、その外径は、支持孔２５の孔径よりも大きく設定されている。これにより、ドレン配管１５が上記一方の支持板部１８側に移動するのを、大径筒部２８の小径筒部２７側の端面２８ａ（図５参照）と支持板部１９の外側面１９ａとの当接により阻止（規制）することができる。
【００６０】
大径筒部２８の内周面には、配管用の雌ねじ部が形成されており、大径筒部２８に延長用の配管を差し込んで雌ねじ部に螺合させることで、ドレン配管１５を延長可能になっている。延長されたドレン配管１５は、例えば、工場内の排水溝まで延設される。
【００６１】
−ポンプユニット及びドレンパンの設置手順−
次に、上記防振台装置ＡへのポンプユニットＵ及びドレンパン１００の設置方法について説明する。  
【００６２】
先ず、前記図１(a)のように２つの防振台１同士を概ね平行とし、且つその長手方向に
可動ブラケット６を沿わせたままで、その可動ブラケット６のボルト挿通孔６２ａがポンプベース５０のポンプ側の取付ピッチに合うように、２つの防振台１の間隔を調整する。また、ポンプベース５０のボルト取付穴の長手方向の間隔に合わせて、アイソレータ４と可動ブラケット６と梁部材８とを架台２の長手方向にスライド移動させる。
【００６３】
それから可動ブラケット６と梁部材８，８との位置関係を保ったまま、すなわちポンプ側の取付ピッチを固定したまま、図２に矢印で示すように防振台１をそれぞれポンプ側のアイソレータ４の周りに回動させて、固定ブラケット７のボルト挿通孔７ａが、電動機側の取付ピッチに大体、合うようにする。
【００６４】
その後、ドレンパン１００を２つの架台２の上側に載置し、可動ブラケット６のボルト挿通孔６２ａに対してドレンパン１００のボルト挿通孔１６の位置が合うようにドレンパン１００の縦方向の位置を調整するとともに、集水孔１３が２つの架台２の間の略中央に位置するようにドレンパン１００の横方向の位置を調整する。そうすることにより、集水孔１３を、ドレン水（潤滑水）の排出源であるポンプＰのポンプ軸に沿ってその真下に配置することができる。
【００６５】
そして、ドレンパン１００の位置調整が完了した後に、ドレンパン１００の上側にポンプユニットＵを載置して、ポンプベース５０のポンプ側に設けられた２つのボルト取付孔を、ドレンパン１００のボルト挿通孔１６から見える可動ブラケット６のボルト挿通孔６２ａに合わせる。また、ポンプベース５０の電動機側に設けられた２つのボルト取付孔を、固定ブラケット７のボルト挿通孔７ａに合わせる。このポンプベース５０の電動機側の固定に際しては、シム調整によりポンプベース５０の電動機側の高さをポンプ側の高さに合わせることが好ましい。
【００６６】
そうして、ポンプユニットＵの位置合わせが完了した後に、図６に示すように、可動ブラケット６及び固定ブラケット７（図６では、可動ブラケット６のみを示す）の下方からボルト５を挿入して、ポンプベース５０よりも上側に突出するボルト５の軸部に上方からナット３２を螺合させて締め込む。これにより、ポンプユニットＵ及びドレンパン１００が架台２に対して共締め固定される。
【００６７】
以上の如く構成されたドレンパン１００では、ベース板部１０に対して一対の支持板部１８，１９を曲げ加工により一体成形して、該支持板部１８，１９に形成された支持孔２５を利用して、ドレン配管１５をベース板部１０に固定するようにしたことで、ドレン配管１５のベース板部１０への取り付けを容易に行うことができる。
【００６８】
すなわち、ドレンパン１００の取り付けに際しては、先ず、ドレン配管１５の一端部にキャップ部材２４を外嵌して接着固定し（図５（ａ）参照）、次いで、キャップ部材２４が取り付けられたドレン配管１５を、一方の支持板部１８の支持孔２５に対して外側から挿入して行き（図５（ｂ）参照）、キャップ部材２４の端面２４ａが支持板部１８の外側面１８ａに当接したところで、他方の支持板部１９の支持孔２５から継手部材２６を差し込む。そして、差し込んだ継手部材２６をドレン配管１５の端部に外嵌して接着固定すれば、ドレン配管１５のベース板部１０への取り付けが完了する（図５（ｃ）参照）。
【００６９】
このように、上記実施形態では、ドレン配管１５をベース板部１０に固定するために、熟練者による溶接作業を一切必要とせず、規格化された市販品である配管部材や配管継手を繋ぎ合わせるだけの簡単な作業で、ドレン配管１５の取り付けを行うことができる。したがって、作業工数の低減と市販品の流用とによって、従来に比べて製品コストを格段に低減することができる。
【００７０】
（変形例１）
図７は、上記実施形態の変形例１を示し、ベース板部１０に形成される集水孔１３及びドレン配管１５の配置構成を上記実施形態とは異ならせたものである。尚、以下の変形例において、図３と実質的に同じ構成要素については同じ符号を付してその詳細な説明を適宜省略する。
【００７１】
すなわち、この変形例では、ベース板部１０には、３つの集水孔１３が横方向に等間隔に並んで形成されており、ベース板部１０の下側には、各集水孔１３の位置に対応して、横方向に並ぶ３つのドレン配管１５が配設されている。
【００７２】
上記各ドレン配管１５のベース板部１０への取付け構造は、上記実施形態と同様であるためその説明を省略する。この取付け構造によると、上述したように、ドレン配管１５をベース板部１０に対して容易に取り付けることができるため、本変形例の如く、ドレン配管１５の本数を３つに増やしたとしても、それらをベース板部１０に取り付けるための作業工数はそれほど増加しない。このため、本変形例のドレンパン１００では、製品コストの増加を抑制しながら、集水孔１３（ドレン配管１５）の数を増やしてドレン水の集水性を向上させることができる。
【００７３】
（変形例２）
図８は、上記実施形態の変形例２を示し、ベース板部１０に形成される集水孔１３及びドレン配管１５の配置構成を上記変形例１とは異ならせたものである。
【００７４】
すなわち、この変形例では、後述するように、ドレン配管１５が平面視において略Ｔ字状に配設されており、集水孔１３は、ドレン配管１５に沿って縦方向に延びる縦長部１３ａと横方向に延びる一対の横長部１３ｂとで構成されている。
【００７５】
ベース板部１０には、集水孔１３の縦長部１３ａを挟んでその両側にそれぞれボルト挿通孔１６が３つずつ（合計６つ）形成されている。この３つのボルト挿通孔１６は、横方向に延びる長孔１６ａと、該長孔１６ａを挟んでその両側に配設され、該長孔１６ａに対してそれぞれ所定の角度で傾斜する２つの長孔１６ｂとで構成されている。
【００７６】
上記ドレン配管１５は、横方向に延びる２つの配管１５ａと、縦方向に延びる配管１５ｂとを市販品のＴ型継手３３を介してＴ字状に接続することにより構成されている。そして、このＴ字状に配置されたドレン配管１５の３つの端部のうちの１つ（本実施形態では、横方向に延びる配管１５ａの一端部）には継手部材２６が装着され、その他の２つの端部にはキャップ部材２４が装着されている。ドレン配管１５の各端部の支持板部１８（又は１９）への取付け構造（つまりベース板部１０への取付け構造）の詳細は、上記実施形態と同様であるため説明を省略する。
【００７７】
この取付け構造によると、上述したように、ドレン配管１５をベース板部１０に対して容易に取り付けることができるため、本変形例の如く、ドレン配管１５の配置構成を比較的複雑（Ｔ字状）にしても、ドレン配管１５をベース板部１０に取り付けるための作業工数はそれほど増加しない。このため、本変形例のドレンパン１００では、製品コストの増加を抑制しながら、集水孔１３の配置を最適化して、ドレン水の集水性を可及的に向上させることができる。
【００７８】
（他の実施形態）
本発明の構成は、上記実施形態に限定されるものではなく、それ以外の種々の構成を包含するものである。すなわち、上記実施形態では、ドレンパン１００をポンプユニットＵの下側に配設して、ポンプユニットＵのポンプ軸から滴下する潤滑水をドレンパン１００により回収する例を示したが、これに限ったものではなく、例えば、空調機の下側にドレンパン１００を配設して、空調機から滴下する結露水をドレンパン１００により回収するようにしてもよい。
【００７９】
また、上記実施形態では、ドレンパン１００を一対の防振台１の上側に載置する例を示したが、これに限ったものではなく、例えば、互いに平行に並ぶ一対の角パイプの上側にドレンパン１００を載置するようにしてもよい。
【００８０】
また、上記実施形態では、ベース板部１０に対して支持板部１８，１９を曲げ加工により一体成形するようにしているが、これに限ったものではなく、ベース板部１０に対して支持板部１８，１９を溶接するようにしてもよい。
【００８１】
また、上記実施形態では、ドレン配管１５の一端部にキャップ部材２４を装着して、他端部に継手部材２６を装着するようにしているが、これに限ったものではなく、例えば、ドレン配管１５の両端部に継手部材２６を装着するようにしてもよいし、該両端部にキャップ部材２４を装着するようにしてもよい。
【００８２】
また、上記実施形態では、ベース板部１０に滴下したドレン水を堰き止めるために、シール壁部１７を設けるようにしているが、これに限ったものではなく、例えば、シール壁部１７に代えてゴム部材（例えば、ネオプレン製のスポンジゴム）を貼り付けるようにしてもよい。
【００８３】
また、上記実施形態では、ドレン配管１５及び継手部材２６は塩化ビニール製とされているが、例えば鉄製のものを使用してもよい。
【００８４】
また、上記実施形態では、ドレンパン１００を、ポンプユニットＵのポンプ側部分にのみ配設する例を示したが、例えば、ドレンパン１００をポンプユニットＵのポンプ側から電動機側に至る縦方向の略全体に亘って配設するにしてもよい。
【００８５】
また、上記実施形態では、集水孔１３の幅方向の両側の端縁部にそれぞれ矩形状片１４を形成する例について説明したが、例えば、図７の左右の集水孔１３の如く、幅方向の一側の端縁部にのみ矩形状片１４を形成するようにしてもよい。この場合、集水孔１３の形成に際して、ベース板部１０の集水孔形成予定部をＩ字状ではなくコ字状に切り欠くようにすればよい。
【産業上の利用可能性】
【００８６】
本発明は、ドレンパン及び該ドレンパンを備えた防振台装置に有用であり、特に、ポンプと該ポンプを駆動する駆動源とを有するポンプユニットに対して使用されるドレンパン及び防振台装置に有用である。
【符号の説明】
【００８７】
Ｕ        ポンプユニット
Ｐ        ポンプ
Ｍ        電動機（駆動源）
１        防振台
２        架台
３        基台
４        アイソレータ（防振体）
１０      ベース板部 
１３      集水孔 
１４      矩形状片 
１５      ドレン配管 
１８      支持板部 
１８ａ    外側面 
１９      支持板部 
２０      切欠部 
２４      キャップ部材（位置規制部材） 
２５      支持孔 
２６      継手部材（位置規制部材）
２７      小径筒部 
２８      大径筒部 
１００      ドレンパン
【図１】
0005681471.tif 000002
【図２】
0005681471.tif 000003
【図３】
0005681471.tif 000004
【図４】
0005681471.tif 000005
【図５】
0005681471.tif 000006
【図６】
0005681471.tif 000007
【図７】
0005681471.tif 000008
【図８】
0005681471.tif 000009